(57)【要約】【課題】蓋付容器の使用に際しての利便性を高めることができる蓋付容器製造装置及びブリスタ包装機を提供する。【解決手段】ブリスタ包装機は、蓋付容器製造装置としてのクローズ装置３１を備える。クローズ装置３１は、物品を収容する容器部３、容器部３の開口を開閉可能な外蓋部４、並びに、容器部３及び外蓋部４を連結するヒンジ部５を有し、容器部３に対する外蓋部４の相対角度が任意に設定された蓋付容器２を製造するために用いられる。クローズ装置３１は、容器部３に対する外蓋部４の相対角度を１８０°未満の所定角度に調節可能な加熱折り曲げ装置３３を備える。加熱折り曲げ装置３３は、発熱可能な発熱部３４１を具備し、ヒンジ部５を加熱可能な抑え加熱装置３４と、加熱状態にあるヒンジ部５において容器部３に対し外蓋部４を折り曲げ可能な折り曲げ用往復装置３５とを有する。【選択図】      図６
2018008432.tif 000002
【特許請求の範囲】
【請求項１】
物品を収容するための容器部、当該容器部の開口を開閉可能な外蓋部、並びに、前記容器部及び前記外蓋部を連結するヒンジ部を有し、前記容器部、前記外蓋部及び前記ヒンジ部が一体形成された樹脂製の蓋付容器を製造するための蓋付容器製造装置であって、
前記容器部に対する前記外蓋部の相対角度を１８０°未満の所定角度に調節可能な角度調節手段を備え、
前記角度調節手段は、
発熱可能な発熱部を具備し、当該発熱部により前記ヒンジ部を加熱可能な加熱手段と、
加熱状態にある前記ヒンジ部において前記容器部に対し前記外蓋部を折り曲げ可能な折り曲げ手段とを有することを特徴とする蓋付容器製造装置。
【請求項２】
前記容器部の開口が上方を向いた状態で、前記容器部に対し前記外蓋部が折り曲げられていない状態の前記蓋付容器を支持する支持手段を有し、
前記折り曲げ手段は、前記支持手段によって前記蓋付容器を支持した状態で、前記容器部に対し前記外蓋部を折り曲げるように構成されていることを特徴とする請求項１に記載の蓋付容器製造装置。
【請求項３】
前記折り曲げ手段は、前記容器部に対する前記外蓋部の折り曲げ時に、前記支持手段により支持された前記蓋付容器における前記ヒンジ部を上方から抑えるヒンジ部抑え手段を有することを特徴とする請求項２に記載の蓋付容器製造装置。
【請求項４】
前記折り曲げ手段は、上下方向に直線移動可能であり、前記支持手段により支持された前記蓋付容器における前記ヒンジ部を前記ヒンジ部抑え手段によって上方から抑えた状態で、当該蓋付容器における前記外蓋部を下方から押圧し、当該外蓋部を折り曲げる上下動折り曲げ手段を有することを特徴とする請求項３に記載の蓋付容器製造装置。
【請求項５】
前記折り曲げ手段は、前記上下動折り曲げ手段の移動方向と交差する方向に直線移動可能であり、前記上下動折り曲げ手段により折り曲げられた状態の前記外蓋部を押圧することで、当該外蓋部を前記容器部の開口側に向けて折り曲げる左右動折り曲げ手段を有し、
前記支持手段は、前記左右動折り曲げ手段による前記外蓋部の押圧方向に沿った前記蓋付容器の移動を規制する移動規制手段を有することを特徴とする請求項４に記載の蓋付容器製造装置。
【請求項６】
前記折り曲げ手段は、前記外蓋部を前記容器部に対して折り曲げた状態で保持可能に構成されていることを特徴とする請求項１乃至５のいずれか１項に記載の蓋付容器製造装置。
【請求項７】
前記折り曲げ手段によって前記外蓋部を前記容器部に対して折り曲げた状態で保持しているときに、当該折り曲げ手段との間で当該外蓋部を挟む位置において当該外蓋部を受ける受け手段を有することを特徴とする請求項６に記載の蓋付容器製造装置。
【請求項８】
物品を収容するための容器部、当該容器部の開口を開閉可能な外蓋部、並びに、前記容器部及び前記外蓋部を連結するヒンジ部を有し、前記容器部、前記外蓋部及び前記ヒンジ部が一体形成された樹脂製の蓋付容器を備えてなるブリスタパックを製造するためのブリスタ包装機であって、
搬送される帯状の容器フィルムに対し成形処理を行い、前記蓋付容器に対応する蓋付容器対応部を形成する成形手段と、
前記成形手段の下流において、前記蓋付容器対応部における前記容器部に対応する部位に対し前記物品を収容する収容手段と、
前記収容手段の下流において、前記容器フィルムにおける前記蓋付容器対応部を打抜くことで、前記ヒンジ部において前記容器部に対し前記外蓋部が折り曲げられていない状態の前記蓋付容器を得る打抜手段と、
前記打抜手段の打抜きにより得られた前記蓋付容器が供給される、請求項１乃至７のいずれか１項に記載の蓋付容器製造装置とを備えることを特徴とするブリスタ包装機。
【請求項９】
前記ブリスタパックにおける前記容器部には、その開口を塞ぐようにして樹脂製の内蓋フィルムが取着されており、
前記蓋付容器製造装置の前記加熱手段は、前記発熱部によって、前記ヒンジ部のみならず、前記容器部における前記内蓋フィルムの取着部位の少なくとも一部を加熱可能に構成されていることを特徴とする請求項８に記載のブリスタ包装機。
【請求項１０】
前記蓋付容器は、前記外蓋部により前記容器部の開口を閉鎖した状態で、前記容器部に対し前記外蓋部を固定可能なロック部を有し、
前記折り曲げ手段は、前記外蓋部を上方から押圧し、前記ロック部によって前記容器部に対し前記外蓋部が固定された状態とする閉鎖手段を有することを特徴とする請求項８又は９に記載のブリスタ包装機。
【発明の詳細な説明】
【技術分野】
【０００１】
本発明は、所定の物品を収容するための容器部、容器部の開口を開閉可能な外蓋部、並びに、容器部及び外蓋部を連結するヒンジ部が一体形成されてなる蓋付容器を製造するための蓋付容器製造装置、及び、蓋付容器製造装置を具備してなるブリスタ包装機に関する。
【背景技術】
【０００２】
各種物品（例えば、食品や医療用品等）が収容されるブリスタパックとしては、前記物品が収容される容器部と、容器部の開口を開閉可能な外蓋部と、容器部及び外蓋部を連結するヒンジ部とを備え、容器部、外蓋部及びヒンジ部が一体形成されてなる樹脂製の蓋付容器を備えたものが知られている。蓋付容器は、外蓋部によって容器部の開口を繰り返し開閉可能に構成されている。
【０００３】
このようなブリスタパックを製造するためのブリスタ包装機としては、帯状の容器フィルムに対し成形処理を施すことで前記蓋付容器に対応する部分を形成する成形手段、成形後の容器フィルムの両端縁を挟んだ状態でその容器フィルムを搬送する搬送手段、搬送される容器フィルムにおける容器部に対応する部分に対し前記物品を収容する収容手段、容器フィルムから前記蓋付容器を切り離すカット手段、及び、ヒンジ部にて容器部に対し外蓋部を折り曲げるとともに、容器部に外蓋部を嵌め合わせることで、外蓋部で容器部の開口を閉鎖した状態とする嵌合手段などを備えたものが提案されている（例えば、特許文献１等参照）。
【先行技術文献】
【特許文献】
【０００４】
【特許文献１】特開２００８−２９７００８号公報
【発明の概要】
【発明が解決しようとする課題】
【０００５】
ところで、上記技術では、単に外蓋部を折り曲げて容器部の開口を閉鎖するように構成されているため、外蓋部による容器部の閉鎖を解除した状態（例えば、容器部に対する外蓋部の嵌合を解除した状態）における、容器部に対する外蓋部の相対角度を任意に調節するといったことはできない。
【０００６】
これに対し、使い勝手や使用環境、蓋付容器の形状、物品の種別などに応じて、前記相対角度を任意に設定したいといったニーズがあるのも事実である。例えば、容器部から物品が取出しやすいブリスタパック（蓋付容器）を製造する際には、前記相対角度を比較的大きなものに設定できることが好ましい場合もある。一方、容器部の開口を開放する際における外蓋部の急激な回動を防止したり、容器部開口を外蓋部で再び閉鎖するときの容易性を高めたり、蓋付容器の姿勢の安定性を向上させたりするといった点を実現するにあたっては、前記相対角度を比較的小さなものに設定できることが好ましい場合もある。
【０００７】
本発明は、上記事情に鑑みてなされたものであり、その目的は、蓋付容器の使用に際しての利便性を高めることができる、容器部に対する外蓋部の相対角度が任意に設定された蓋付容器を製造するための蓋付容器製造装置及びブリスタ包装機を提供することにある。
【課題を解決するための手段】
【０００８】
以下、上記目的を解決するのに適した各手段につき、項分けして説明する。なお、必要に応じて対応する手段に特有の作用効果を付記する。
【０００９】
手段１．物品を収容するための容器部、当該容器部の開口を開閉可能な外蓋部、並びに、前記容器部及び前記外蓋部を連結するヒンジ部を有し、前記容器部、前記外蓋部及び前記ヒンジ部が一体形成された樹脂製の蓋付容器を製造するための蓋付容器製造装置であって、
前記容器部に対する前記外蓋部の相対角度を１８０°未満の所定角度に調節可能な角度調節手段を備え、
前記角度調節手段は、
発熱可能な発熱部を具備し、当該発熱部により前記ヒンジ部を加熱可能な加熱手段と、
加熱状態にある前記ヒンジ部において前記容器部に対し前記外蓋部を折り曲げ可能な折り曲げ手段とを有することを特徴とする蓋付容器製造装置。
【００１０】
上記手段１によれば、蓋付容器製造装置には、加熱手段及び折り曲げ手段を具備してなる角度調節手段が設けられている。従って、加熱手段の発熱部によるヒンジ部の加熱具合や、折り曲げ手段による外蓋部の折り曲げ角度を調節することで、容器部に対する外蓋部の相対角度を１８０°未満の所定角度に設定した蓋付容器を得ることができる。これにより、蓋付容器の使用に際しての利便性を高めることができる。
【００１１】
手段２．前記容器部の開口が上方を向いた状態で、前記容器部に対し前記外蓋部が折り曲げられていない状態の前記蓋付容器を支持する支持手段を有し、
前記折り曲げ手段は、前記支持手段によって前記蓋付容器を支持した状態で、前記容器部に対し前記外蓋部を折り曲げるように構成されていることを特徴とする手段１に記載の蓋付容器製造装置。
【００１２】
上記手段２によれば、支持手段によって蓋付容器を支持した状態で外蓋部の折り曲げを行うことができる。従って、外蓋部の折り曲げをより安定した状態で行うことができる。これにより、外蓋部の相対角度を精度よく所期の角度とすることができるとともに、折り曲げ後の各蓋付容器において、外蓋部の相対角度にバラツキが生じてしまうことをより確実に防止できる。
【００１３】
手段３．前記折り曲げ手段は、前記容器部に対する前記外蓋部の折り曲げ時に、前記支持手段により支持された前記蓋付容器における前記ヒンジ部を上方から抑えるヒンジ部抑え手段を有することを特徴とする手段２に記載の蓋付容器製造装置。
【００１４】
上記手段３によれば、ヒンジ部抑え手段によりヒンジ部を抑えながら外蓋部の折り曲げを行うことができるため、より確実にヒンジ部を回動中心として外蓋部を折り曲げることができる。これにより、ヒンジ部において、しっかりとした「折りぐせ」をより確実につけることができる。その結果、外蓋部の相対角度をより精度よく所期の角度とすることができる。また、折り曲げ後の各蓋付容器において、外蓋部の相対角度にバラツキが生じてしまうことを一層確実に防止できる。
【００１５】
手段４．前記折り曲げ手段は、上下方向に直線移動可能であり、前記支持手段により支持された前記蓋付容器における前記ヒンジ部を前記ヒンジ部抑え手段によって上方から抑えた状態で、当該蓋付容器における前記外蓋部を下方から押圧し、当該外蓋部を折り曲げる上下動折り曲げ手段を有することを特徴とする手段３に記載の蓋付容器製造装置。
【００１６】
上記手段４によれば、上下動折り曲げ手段によって蓋付容器が持ち上げられてしまうといった事態を抑制しつつ、より確実にヒンジ部を回動中心として外蓋部を折り曲げることができる。
【００１７】
また、上下動折り曲げ手段は直線移動するものとされるため、上下動折り曲げ手段の機構を簡素化することができ、製造コストの低減を図ることができる。さらに、上下動折り曲げ手段の動作が単純化されるため、上下動折り曲げ手段の動作安定性を高めることができ、ひいては生産性の向上を図ることができる。
【００１８】
手段５．前記折り曲げ手段は、前記上下動折り曲げ手段の移動方向と交差する方向に直線移動可能であり、前記上下動折り曲げ手段により折り曲げられた状態の前記外蓋部を押圧することで、当該外蓋部を前記容器部の開口側に向けて折り曲げる左右動折り曲げ手段を有し、
前記支持手段は、前記左右動折り曲げ手段による前記外蓋部の押圧方向に沿った前記蓋付容器の移動を規制する移動規制手段を有することを特徴とする手段４に記載の蓋付容器製造装置。
【００１９】
上記手段５によれば、左右動折り曲げ手段により外蓋部を押圧して折り曲げる際に、支持手段に設けられた移動規制手段によって、蓋付容器の前記押圧方向に沿った移動を規制することができる。従って、外蓋部の折り曲げをより正確に行うことができる。
【００２０】
さらに、左右動折り曲げ手段は直線移動するものとされるため、左右動折り曲げ手段の機構を簡素化することができ、製造コストの低減をより効果的に図ることができる。また、左右動折り曲げ手段の動作が単純化されるため、左右動折り曲げ手段の動作安定性を高めることができ、ひいては生産性の一層の向上を図ることができる。
【００２１】
尚、上下動折り曲げ手段の移動客体及び左右動折り曲げ手段の移動客体として、共通の客体を用いることとしてもよい。この場合には、更なる機構の簡素化を図ることができ、製造コストの低減を一層図ることができる。
【００２２】
手段６．前記折り曲げ手段は、前記外蓋部を前記容器部に対して折り曲げた状態で保持可能に構成されていることを特徴とする手段１乃至５のいずれかに記載の蓋付容器製造装置。
【００２３】
上記手段６によれば、折り曲げ手段は、外蓋部を容器部に対して折り曲げた状態で保持することが可能とされている。従って、例えば、ヒンジ部が冷却されるまでの間、折り曲げ手段によって、相対角度の目標値に対応する折り曲げ状態で外蓋部を保持することができ、しっかりとした「折りぐせ」をつけることができる。これにより、外蓋部の相対角度を一層精度よく所期の角度とすることができる。また、折り曲げ後の各蓋付容器において、外蓋部の相対角度にバラツキが生じてしまうことをより一層確実に防止できる。
【００２４】
手段７．前記折り曲げ手段によって前記外蓋部を前記容器部に対して折り曲げた状態で保持しているときに、当該折り曲げ手段との間で当該外蓋部を挟む位置において当該外蓋部を受ける受け手段を有することを特徴とする手段６に記載の蓋付容器製造装置。
【００２５】
上記手段７によれば、受け手段によって、外蓋部が過度に折り曲がった状態で保持されてしまうことをより確実に防止できる。これにより、外蓋部の相対角度をさらに精度よく所期の角度とすることができる。また、折り曲げ後の各蓋付容器における相対角度をより確実に揃えることができる。
【００２６】
手段８．物品を収容するための容器部、当該容器部の開口を開閉可能な外蓋部、並びに、前記容器部及び前記外蓋部を連結するヒンジ部を有し、前記容器部、前記外蓋部及び前記ヒンジ部が一体形成された樹脂製の蓋付容器を備えてなるブリスタパックを製造するためのブリスタ包装機であって、
搬送される帯状の容器フィルムに対し成形処理を行い、前記蓋付容器に対応する蓋付容器対応部を形成する成形手段と、
前記成形手段の下流において、前記蓋付容器対応部における前記容器部に対応する部位に対し前記物品を収容する収容手段と、
前記収容手段の下流において、前記容器フィルムにおける前記蓋付容器対応部を打抜くことで、前記ヒンジ部において前記容器部に対し前記外蓋部が折り曲げられていない状態の前記蓋付容器を得る打抜手段と、
前記打抜手段の打抜きにより得られた前記蓋付容器が供給される、手段１乃至７のいずれかに記載の蓋付容器製造装置とを備えることを特徴とするブリスタ包装機。
【００２７】
上記手段８によれば、基本的には上記手段１等と同様の作用効果が奏される。
【００２８】
加えて、上記手段８によれば、蓋付容器は、打抜によって得られることとなる。従って、直線移動する切断手段によって蓋付容器を得る場合と比べて、ブリスタパック（特に蓋付容器）の外縁形状に関する設計自由度を高めることができる。また、ブリスタパックを得るにあたって、打抜のみによってブリスタパックの外縁形状を所望形状とすることができるため、角を丸くするための処理などを別途行う必要がなくなり、生産性を一層高めることができる。
【００２９】
手段９．前記ブリスタパックにおける前記容器部には、その開口を塞ぐようにして樹脂製の内蓋フィルムが取着されており、
前記蓋付容器製造装置の前記加熱手段は、前記発熱部によって、前記ヒンジ部のみならず、前記容器部における前記内蓋フィルムの取着部位の少なくとも一部を加熱可能に構成されていることを特徴とする手段８に記載のブリスタ包装機。
【００３０】
上記手段９によれば、発熱部によって、ヒンジ部のみならず、容器部における内蓋フィルムの取着部位を加熱することができる。従って、内蓋フィルムの取着後に、発熱部によって前記取着部位を加熱することとすれば、容器部に対し内蓋フィルムをより強固に取着（融着）することができる。また、場合によっては、発熱部によって容器部へと内蓋フィルムを取着（融着）することができ、容器部へと内蓋フィルムを取着するためのシール手段を別途設けなくても済む。
【００３１】
尚、容器部における開口周囲の全周部分に対し内蓋フィルムを取着する場合には、発熱部によって前記全周部分を加熱するように構成してもよい。
【００３２】
手段１０．前記蓋付容器は、前記外蓋部により前記容器部の開口を閉鎖した状態で、前記容器部に対し前記外蓋部を固定可能なロック部を有し、
前記折り曲げ手段は、前記外蓋部を上方から押圧し、前記ロック部によって前記容器部に対し前記外蓋部が固定された状態とする閉鎖手段を有することを特徴とする手段８又は９に記載のブリスタ包装機。
【００３３】
上記手段１０によれば、折り曲げ手段は閉鎖手段を有しており、当該閉鎖手段によって、ロック部により容器部に対し外蓋部を固定し、容器部の開口を完全に閉鎖した状態とすることができる。従って、容器部の開口が閉鎖されたブリスタパックを容易に得ることができる。
【００３４】
また、外蓋部の相対角度を非常に小さなものとしたい場合には、発熱部からヒンジ部へと付与される熱量が比較的大きなものとされるため、ヒンジ部が冷却されるまでに時間を要することがある。そのため、ヒンジ部が冷却されるまでの間、閉鎖手段により外蓋部を保持し続けると、保持時間が長くなってしまい、生産性が低下してしまうおそれがある。
【００３５】
この点、上記手段１０によれば、ヒンジ部が冷却されるまでの間、ロック部によって容器部の開口を完全に閉鎖した状態で保持することにより、外蓋部の相対角度を非常に小さなものとすることができる。従って、ヒンジ部が冷却されるまでの間、閉鎖手段によって外蓋部を保持しておく必要はない。これにより、生産性の向上を一層図ることができる。
【図面の簡単な説明】
【００３６】
【図１】ブリスタパックの斜視図である。
【図２】ブリスタパックの断面図である。
【図３】ブリスタ包装機の概略構成を示す模式図である。
【図４】蓋付容器対応部が形成された容器フィルムを示す斜視図である。
【図５】容器フィルムに対し内蓋フィルムを重ねた状態を示す平面図である。
【図６】クローズ装置の概略構成を示す正面模式図である。
【図７】発熱部によってヒンジ部を抑えた状態におけるクローズ装置の正面模式図である。
【図８】発熱部によりヒンジ部を抑えた上で、上下動折り曲げ装置により外蓋部を折り曲げているときにおけるクローズ装置の正面模式図である。
【図９】上下動折り曲げ装置が一時停止し、外蓋部を折り曲げた状態で保持しているときにおけるクローズ装置の正面模式図である。
【図１０】左右動折り曲げ装置により外蓋部を折り曲げているときにおけるクローズ装置の斜視模式図である。
【図１１】左右動折り曲げ装置により外蓋部を折り曲げた状態におけるクローズ装置の正面模式図である。
【図１２】外蓋部抑え装置により外蓋部を抑えているときにおけるクローズ装置の斜視模式図である。
【図１３】発熱部によりヒンジ部を抑えた上で、上下動折り曲げ装置により外蓋部を折り曲げているときにおけるクローズ装置の正面模式図である。
【図１４】左右動折り曲げ装置が一時停止し、外蓋部を折り曲げた状態で保持しているときにおけるクローズ装置の正面模式図である。
【図１５】別の実施形態におけるサポート板部を示すためのクローズ装置の正面模式図である。
【図１６】別の実施形態におけるサポート板部を示すためのクローズ装置の正面模式図である。
【図１７】別の実施形態における発熱部を示すためのヒンジ部等の拡大模式図である。
【図１８】別の実施形態における発熱部を示すためのヒンジ部等の拡大模式図である。
【図１９】別の実施形態において、上下左右動折り曲げ装置の上下動により外蓋部を折り曲げているときにおけるクローズ装置の斜視模式図である。
【図２０】別の実施形態において、上下左右動折り曲げ装置の水平移動により外蓋部を折り曲げているときにおけるクローズ装置の斜視模式図である。
【図２１】別の実施形態におけるブリスタパックの斜視図である。
【図２２】別の実施形態におけるブリスタパックの斜視図である。
【発明を実施するための形態】
【００３７】
以下、一実施形態について図面を参照しつつ説明する。図１及び図２に示すように、ブリスタパック１は、蓋付容器２と、内蓋フィルム６とを備えている。尚、便宜上、各図中における蓋付容器２及び内蓋フィルム６は、実際よりも厚肉に示されている。
【００３８】
蓋付容器２は、例えばＰＰ（ポリプロピレン）やＰＶＣ（ポリ塩化ビニル）、ＰＥ（ポリエチレン）等の熱可塑性樹脂材料によって構成されている。また、蓋付容器２は、容器部３、外蓋部４及びヒンジ部５を備えており、これらが一体形成されている。
【００３９】
容器部３は、収容空間３Ａを有しており、当該収容空間３Ａに対し所定の物品Ｗ（例えば、食品や医療用品など）が収容されている。外蓋部４は、ヒンジ部５を回動中心として容器部３に対し相対回動可能となっており、容器部３の開口は、外蓋部４によって開閉可能となっている。ヒンジ部５は、断面湾曲形状をなしており、容器部３と外蓋部４とを連結する部位である。
【００４０】
また、容器部３は、収容空間３Ａの開口端から外側に延出形成された環状の被シール部３Ｂと、当該被シール部３Ｂの最外周から垂下する内嵌部３Ｃとを備えている。一方、外蓋部４は、前記内嵌部３Ｃに対応する形状をなす環状の外嵌部４Ａを備えている。そして、外蓋部４により容器部３の開口を閉鎖した状態においては、内嵌部３Ｃの外周に対し外嵌部４Ａを嵌め込むことによって、容器部３に対し外蓋部４が固定されるようになっている。本実施形態では、内嵌部３Ｃ及び外嵌部４Ａによってロック部が構成されている。尚、容器部３及び外蓋部４の一方に設けられた凸部と、容器部３及び外蓋部４の他方に設けられ、外蓋部４により容器部３の開口を閉鎖した状態において前記凸部が配置される凹部とによってロック部を構成してもよい。
【００４１】
さらに、容器部３は、内嵌部３Ｃの下端部から外周に突出する鍔状のフランジ部３Ｄを備えている。フランジ部３Ｄによって、内嵌部３Ｃの外周に対し外嵌部４Ａを嵌め込んだ状態において、内嵌部３Ｃが内側に向けて過度に変形してしまうことを防止でき、閉鎖状態をより確実に維持できるようになっている。
【００４２】
また、蓋付容器２は、ヒンジ部５において容器部３に対し外蓋部４が折り曲げられた状態となるようにくせ付けされている。そして、外蓋部４による容器部３開口の閉鎖を解除した状態（内嵌部３Ｃの外周に対する外嵌部４Ａの嵌合を解除した状態）では、容器部３に対する外蓋部４の相対角度αが１８０°未満の所定角度となるように設定されている。
【００４３】
内蓋フィルム６は、蓋付容器２と相溶性のある熱可塑性樹脂により形成されており、本実施形態では、透明又は半透明を呈するように構成されている。内蓋フィルム６は、容器部３の開口を塞ぐようにして前記被シール部３Ｂに対し取着されている。
【００４４】
次に、上記ブリスタパック１を製造するためのブリスタ包装機１０の構成について説明する。
【００４５】
図３に示すように、ブリスタ包装機１０では、ロール状の原反から引き出された帯状の容器フィルム７が所定のコンベア１１（例えば、チェーンクリップコンベア等）により下流側へ向け間欠搬送されていく。容器フィルム７は、蓋付容器２の材料である。
【００４６】
容器フィルム７原反の下流側には、まず加熱軟化装置１２及び形成装置１３が設けられている。本実施形態では、加熱軟化装置１２及び形成装置１３によって成形手段が構成されている。
【００４７】
加熱軟化装置１２は、容器フィルム７を挟んで上下に配置される上型１２ａ及び下型１２ｂを備え、容器フィルム７における蓋付容器２の形成範囲を部分的に加熱可能に構成されている。
【００４８】
形成装置１３は、蓋付容器２の形状とおよそ相似的で小さいプラグを有してなる上型１３ａと、蓋付容器２の形状に対応した凹凸部を有してなる下型１３ｂとを備えている。そして、容器フィルム７が加熱軟化装置１２により加熱され比較的柔軟になった状態において、上型１３ａ及び下型１３ｂにより、容器フィルム７の所定位置に蓋付容器２に対応する蓋付容器対応部２Ｆが成形される（図４参照）。蓋付容器対応部２Ｆは、容器部３に対応する容器対応部３Ｆと、外蓋部４に対応する外蓋対応部４Ｆと、ヒンジ部５に対応するヒンジ対応部５Ｆとを備えている。尚、蓋付容器対応部２Ｆの成形は、容器フィルム７の搬送動作間のインターバルの際に行われる。
【００４９】
さらに、形成装置１３の下流側には、収容手段としての収容装置１４が設けられており、当該収容装置１４によって、容器対応部３Ｆにおける前記収容空間３Ａに対応する空間へと物品Ｗが収容される。
【００５０】
また、帯状に形成された内蓋フィルム６の原反は、前記容器フィルム７とは別にロール状に巻回されて配置されている。当該原反から引き出された内蓋フィルム６は、収容装置１４の下流側に設けられた受けローラ１５へと案内されている。内蓋フィルム６は、受けローラ１５まで案内されることで、図５に示すように、容器フィルム７の搬送方向に沿って延びた状態で、容器対応部３Ｆの開口を塞ぐようにして容器フィルム７へと重ねられることとなる。
【００５１】
尚、本実施形態において、容器フィルム７の搬送方向と直交する方向に沿った内蓋フィルム６の幅は、前記搬送方向と直交する方向に沿った容器対応部３Ｆにおける被シール部３Ｂに対応する部位である被シール部対応部３Ｇ（図５中、斜線を付した部位）の幅よりも大きなものとされている。そして、容器フィルム７に対し内蓋フィルム６を重ねた状態においては、内蓋フィルム６の幅方向一端縁が前記被シール部対応部３Ｇよりも容器フィルム７の幅方向一端縁側にはみ出し、一方、内蓋フィルム６の幅方向他端縁が被シール部対応部３Ｇの外縁に対しほぼ重なるようになっている。
【００５２】
図３に戻り、受けローラ１５の下流には、シール手段としてのシール装置１７が設けられている。シール装置１７は、上型１７ａ及び下型１７ｂを備えている。
【００５３】
上型１７ａは、両フィルム６，７の搬送経路の上方に配置されており、図示しない駆動手段によって上下に移動可能となっている。また、上型１７ａは、前記被シール部３Ｂに対応する形状をなすとともに、発熱可能なヒータ部１７ｃを備えている。
【００５４】
下型１７ｂは、蓋付容器対応部２Ｆにおける下向きに突出する部位が収容される凹部１７ｄを備えており、図示しない駆動手段によって上下に移動可能となっている。また、下型１７ｂのうち前記凹部１７ｄの開口から外周に延びる平坦面が、前記上型１７ａのヒータ部１７ｃとの間で、容器フィルム７及び内蓋フィルム６を挟み込む押圧面となっている。
【００５５】
シール装置１７においては、上型１７ａ及び下型１７ｂが容器フィルム７及び内蓋フィルム６に接近することで、ヒータ部１７ｃと下型１７ｂの前記平坦面との間で、容器対応部３Ｆにおける被シール部対応部３Ｇ及び内蓋フィルム６を挟み込む。その結果、被シール部対応部３Ｇに対し、容器対応部３Ｆの開口を塞ぐようにして内蓋フィルム６が取着（熱融着）される。
【００５６】
尚、本実施形態において、シール装置１７は、容器対応部３Ｆにおける被シール部対応部３Ｇのみに対し内蓋フィルム６を取着するように構成されている。また、内蓋フィルム６の取着は、容器フィルム７の搬送動作間のインターバルに行われ、シール装置１７によって、容器対応部３Ｆに対し内蓋フィルム６が順次取着されるようになっている。
【００５７】
シール装置１７の下流側には、打抜手段としての打抜装置１８が設けられている。打抜装置１８は、蓋付容器２の外縁形状に対応する形状の図示しない打抜パンチを備えており、当該打抜パンチによって、内蓋フィルム６とともに、容器フィルム７における蓋付容器対応部２Ｆを打抜く。これにより、容器部３に対し外蓋部４が折り曲げられていない状態の蓋付容器２を備えてなるブリスタパック１が得られる。尚、本実施形態では、蓋付容器２の外縁部分における角部が丸みを帯びた形状となるように前記打抜パンチの形状が設定されている。
【００５８】
尚、シール装置１７は、被シール部対応部３Ｇのみに対し内蓋フィルム６を取着するため、容器フィルム７及び内蓋フィルム６のうち打抜後に残存するスクラップ部８Ｓにおいて、容器フィルム７と内蓋フィルム６とは非取着の状態となっている。また、スクラップ部８Ｓにおける容器フィルム７及び内蓋フィルム６は、それぞれ容器フィルム７の搬送方向に沿って連なった状態となっている。
【００５９】
そして、スクラップ部８Ｓにおける内蓋フィルム６は、打抜装置１８よりも下流に設けられた回収装置２１によって、巻き取られつつ回収される。また、スクラップ部８Ｓにおける容器フィルム７は、打抜装置１８の下流に設けられた図示しない裁断装置に搬送されるとともに、当該裁断装置によって所定寸法に裁断され、図示しない所定のスクラップ用ホッパに貯留される。
【００６０】
一方、打抜装置１８の下方には、コンベア２０が設けられており、打抜かれたブリスタパック１は、コンベア２０によって蓋付容器製造装置としてのクローズ装置３１側へと移送される。
【００６１】
クローズ装置３１は、容器部３に対する外蓋部４の相対角度αが調節された蓋付容器２を製造するとともに、製造された蓋付容器２において外蓋部４により容器部３の開口を閉じた状態とするものである。クローズ装置３１は、図６に示すように、支持手段としての支持台３２と、角度調節手段としての加熱折り曲げ装置３３と、制御装置３６とを備えている。
【００６２】
支持台３２は、コンベア２０によって移送されたブリスタパック１における蓋付容器２を静止させた状態で支持するものである。支持台３２は、容器部３におけるフランジ部３Ｄを下方から支持する一対の容器部支持部３２１と、外蓋部４を下方から支持する一対の外蓋部支持部３２２とを備えている。そして、両容器部支持部３２１にフランジ部３Ｄを載置するとともに、両外蓋部支持部３２２に外蓋部４を載置した状態とすることで、容器部３の開口が上方を向き、かつ、容器部３に対し外蓋部４が折り曲げられていない状態で蓋付容器２が支持されるようになっている。尚、コンベア２０から支持台３２へとブリスタパック１を移動させる際に、ブリスタパック１を持ち上げ可能なリフト手段（図示せず）などを用いてもよい。
【００６３】
また、支持台３２によって蓋付容器２を支持した状態においては、容器部３における下方に突出する部位（物品Ｗの収容部位）が、両容器部支持部３２１間に配置され、ヒンジ部５の延びる方向と直交する方向に沿った蓋付容器２の水平移動が規制されるようになっている。本実施形態では、両容器部支持部３２１のうち外蓋部支持部３２２から離れた側に配置されているものによって移動規制手段が構成されている。
【００６４】
加熱折り曲げ装置３３は、抑え加熱装置３４と、折り曲げ用往復装置３５とを備えている。
【００６５】
抑え加熱装置３４は、支持台３２により支持された蓋付容器２におけるヒンジ部５を上方から抑えつつ、当該ヒンジ部５を加熱するものである。抑え加熱装置３４は、図示しない駆動手段によって上下動可能とされており、退避位置と接触位置との間で往復移動可能に構成されている。抑え加熱装置３４は、退避位置に配置されると、ヒンジ部５の鉛直上方であってヒンジ部５から十分に離間した状態となる。一方、抑え加熱装置３４は、接触位置に配置されると、ヒンジ部５の上面に対し自身の下端部が接触した状態となる。
【００６６】
また、抑え加熱装置３４の下端部には、ヒンジ部５の幅に対応する長さ（幅）を有し、図示しないヒータ等により発熱可能に構成された発熱部３４１が設けられている。発熱部３４１は、自身に対する電力供給が調節されることにより、自身の温度を変更可能とされている。尚、本実施形態において、発熱部３４１の下端部（ヒンジ部５と接触する部位）は、丸みを帯びた形状とされている。また、本実施形態では、抑え加熱装置３４によって加熱手段及びヒンジ部抑え手段が構成されている。
【００６７】
折り曲げ用往復装置３５は、支持台３２により支持された蓋付容器２において、ヒンジ部５を回動中心として容器部３側に対し外蓋部４を折り曲げるものである。折り曲げ用往復装置３５は、上下動折り曲げ装置３５１、左右動押し曲げ装置３５２及び外蓋部抑え装置３５３を備えている。本実施形態では、上下動折り曲げ装置３５１が上下動折り曲げ手段に相当し、左右動折り曲げ装置３５２が左右動折り曲げ手段に相当し、外蓋部抑え装置３５３が閉鎖手段に相当する。
【００６８】
上下動折り曲げ装置３５１は、図示しない駆動手段によって上下方向に直線移動可能とされており、退避位置と最大リフト位置との間で往復移動可能とされている。上下動折り曲げ装置３５１は、退避位置に配置されると、支持台３２により支持された蓋付容器２における外蓋部４の鉛直下方であって外蓋部４から十分に離間した状態となる。一方、上下移動折り曲げ装置３５１は、最大リフト位置に配置されると、自身の上端部が外蓋部支持部３２２の上端よりも上方に位置した状態となる。
【００６９】
上下動折り曲げ装置３５１は、退避位置から上動し、抑え加熱装置３４（発熱部３４１）によってヒンジ部５が上方から抑えられた状態で、外蓋部４を下方から押圧することにより、外蓋部４を折り曲げる。本実施形態において、上下動折り曲げ装置３５１は、前記最大リフト位置に配置されると、支持台３２に支持された蓋付容器２において、前記相対角度αが所定の第一角度（例えば、１３５°）となるように外蓋部４を持ち上げた状態となる。すなわち、本実施形態における上下動折り曲げ装置３５１は、相対角度αが前記第一角度となるまで外蓋部４を折り曲げることができるように設定されている。尚、上記において第一角度として挙げた数値は例であって、第一角度は、上下動折り曲げ装置３５１のリフト量や配置位置によって、９０°超１８０°未満の範囲で適宜変更することが可能である。
【００７０】
また、上下動折り曲げ装置３５１は、退避位置から最大リフト位置までの間において、一時停止可能となっている。そして、上下動折り曲げ装置３５１の一時停止に伴い、外蓋部４は、相対角度αが前記第一角度以上１８０°未満の任意の角度となった状態で保持されるようになっている。
【００７１】
左右動折り曲げ装置３５２は、図示しない駆動手段により水平方向に沿って直線移動可能とされており、支持台３２により支持された蓋付容器２の容器部３の上端面（本実施形態では、被シール部３Ｂ）よりもやや上方の位置において、後退位置と前進位置との間で往復移動可能となっている。左右動折り曲げ装置３５２は、後退位置に配置されると、蓋付容器２から十分に離間し、上下動折り曲げ装置３５１による外蓋部４の折り曲げを妨げることのない状態となる。一方、左右動折り曲げ装置３５２は、前進位置に配置されると、容器部３の鉛直上方に位置した状態となる。
【００７２】
そして、左右動折り曲げ装置３５２は、後退位置から容器部３側に向けて水平方向に移動し、上下動折り曲げ装置３５１により折り曲げられた外蓋部４を押圧することで、容器部３の開口側に向けて外蓋部４を折り曲げる。本実施形態において、左右動折り曲げ装置３５１は、前進位置に配置されると、前記相対角度αが所定の第二角度（例えば、５°）となるように外蓋部４を折り曲げた状態となる。すなわち、本実施形態における左右動折り曲げ装置３５２は、相対角度αが前記第二角度となるまで外蓋部４を折り曲げることができるように設定されている。尚、上記において第二角度として挙げた数値は例であって、第二角度は、前進位置に配置したときにおける蓋付容器２に対する左右動折り曲げ装置３５２の相対位置を調節することなどによって、０°超の所定角度に設定することが可能である。
【００７３】
また、左右動折り曲げ装置３５２は、上下動折り曲げ装置３５１と同様に、一時停止可能となっており、一時停止に伴い外蓋部４を折り曲げた状態で保持可能となっている。本実施形態では、左右動折り曲げ装置３５２の一時停止に伴い、外蓋部４は、相対角度αが前記第二角度以上前記第一角度未満の任意の角度となった状態で保持されるようになっている。
【００７４】
尚、本実施形態において、上下動折り曲げ装置３５１及び左右動折り曲げ装置３５２は、これらの移動方向と直交する方向（図６の紙面奥行方向）に沿ってずれた状態で配置されている（図１０参照）。そのため、移動時に両者が干渉しないようになっている。
【００７５】
外蓋部抑え装置３５３は、支持台３２により支持された蓋付容器２の容器部３の鉛直上方に配置されており、図示しない駆動手段により、退避位置と最大下動位置との間で上下方向に沿って往復移動可能とされている。外蓋部抑え装置３５３は、退避位置に配置されると、容器部３から十分に離間し、左右動折り曲げ装置３５２による外蓋部４の折り曲げを妨げない状態となる。一方、外蓋部抑え装置３５３は、最大下動位置に配置されると、その下端部が容器部３の直上方位置に位置した状態となる。
【００７６】
外蓋部抑え装置３５３は、退避位置から下降することで、左右動折り曲げ装置３５２により折り曲げられた状態の外蓋部４を上方から押圧する。そして、外蓋部抑え装置３５３が、最大下動位置に配置されると、内嵌部３Ｃの外周に対し外嵌部４Ａが嵌め込まれて、容器部３に対し外蓋部４が固定された状態となる。すなわち、外蓋部４によって容器部３の開口が閉鎖されたブリスタパック１が得られることとなる。尚、得られたブリスタパック１は、図示しない取外手段によって支持台３２から取り外された上で、図示しない完成品用ホッパへと移送される。
【００７７】
また、本実施形態において、左右動折り曲げ装置３５２及び外蓋部抑え装置３５３は、これらの移動方向と直交する方向（図６の紙面奥行方向）に沿ってずれた状態で配置されている（図１０参照）。そのため、移動時に両者が干渉しないようになっている。
【００７８】
尚、本実施形態では、抑え加熱装置３４（特にヒンジ部抑え手段に相当する部位）及び折り曲げ用往復装置３５によって折り曲げ手段が構成されている。
【００７９】
制御装置３６は、演算手段としてのＣＰＵや、各種プログラムを記憶するＲＯＭ、演算データや入出力データなどの各種データを一時的に記憶するＲＡＭ、演算データ等を長期記憶するハードディスクなどを備えており、抑え加熱装置３４、上下動折り曲げ装置３５１、左右動折り曲げ装置３５２及び外蓋部抑え装置３５３の動作を制御する。
【００８０】
制御装置３６には、蓋付容器２の材質や厚さ、サイズなどに関する情報が予め記憶されている。また、制御装置３６には、相対角度αに関する情報と、抑え加熱装置３４の移動タイミング、及び、折り曲げ用往復装置３５の移動量や移動タイミングなどの各種制御用データとの関係を規定したテーブルが予め記憶されている。尚、抑え加熱装置３４の移動タイミングの変動により、発熱部３４１によるヒンジ部５の抑え時間（加熱時間）が変動する。また、折り曲げ用往復装置３５の移動量や移動タイミングの変動により、上下動折り曲げ装置３５１や左右動折り曲げ装置３５２における一時停止位置や一時停止時間が変動する。
【００８１】
制御装置３６は、記憶された蓋付容器２の材質や厚さなどの情報に応じて、発熱部３４１に対する供給電力を調節し、発熱部３４１の温度を適切な温度に設定するようになっている。尚、制御装置３６は、発熱部３４１の温度が図示しない入力手段を介して入力された温度情報に対応したものとなるように構成されていてもよい。
【００８２】
さらに、制御装置３６は、図示しない入力手段を介して前記相対角度αの目標値（又は、それに関する情報）が入力されることで、前記テーブルに基づいて、上述した抑え加熱装置３４や折り曲げ用往復装置３５の移動タイミングなどに関する各種制御用データを取得する。その上で、制御装置３６は、取得した制御用データに基づき、抑え加熱装置３４や折り曲げ用往復装置３５の動作を制御する。
【００８３】
本実施形態において、相対角度αの目標値が比較的大きい場合（例えば、前記第一角度以上１８０°未満の場合）、制御装置３６は、例えば、次のような制御用データを取得する。
【００８４】
すなわち、抑え加熱装置３４の移動タイミングに係る制御用データとして、抑え加熱装置３４（発熱部３４１）によるヒンジ部５の抑え時間（加熱時間）が比較的短いものとなるようなデータを取得する。また、上下動折り曲げ装置３５１の移動量や移動タイミングに係る制御用データとして、上下動折り曲げ装置３５１が、ヒンジ部５の抑え時間（加熱時間）に応じたタイミングで退避位置から上動し、入力された相対角度αの目標値に対応する一時停止位置にて所定時間だけ一時停止し、その後、最大リフト位置まで移動した上で再び退避位置へと戻るようなデータを取得する。さらに、左右動折り曲げ装置３５２の移動量や移動タイミングに係る制御用データとして、左右動折り曲げ装置３５２が、前記最大リフト位置に対する上下動折り曲げ装置３５１の到達に応じたタイミングで後退位置から移動し、その後、前進位置まで移動した上で再び後退位置へと戻るようなデータを取得する。加えて、外蓋部抑え装置３５３の移動量や移動タイミングに係る制御用データとして、外蓋部抑え装置３５３が、前記前進位置に対する左右動折り曲げ装置３５２の到達に応じたタイミングで退避位置から移動し、その後、前記最大下動位置まで移動した上で再び退避位置へと戻るようなデータを取得する。
【００８５】
また、本実施形態において、相対角度αの目標値が比較的小さい場合（例えば、前記第二角度以上前記第一角度未満の場合）、制御装置３６は、例えば、次のような制御用データを取得する。
【００８６】
すなわち、抑え加熱装置３４の移動タイミングに係る制御用データとして、抑え加熱装置３４（発熱部３４１）によるヒンジ部５の抑え時間（加熱時間）が比較的長いものとなるようなデータを取得する。また、上下動折り曲げ装置３５１の移動量や移動タイミングに係る制御用データとして、上下動折り曲げ装置３５１が、ヒンジ部５の抑え時間（加熱時間）に応じたタイミングで退避位置から上動し、その後、前記最大リフト位置まで移動した上で再び退避位置へと戻るようなデータを取得する。さらに、左右動折り曲げ装置３５２の移動量や移動タイミングに係る制御用データとして、左右動折り曲げ装置３５２が、前記最大リフト位置に対する上下動折り曲げ装置３５１の到達に応じたタイミングで後退位置から移動し、入力された相対角度αの目標値に対応する一時停止位置にて所定時間だけ一時停止し、その後、前進位置まで移動した上で再び後退位置へと戻るようなデータを取得する。尚、外蓋部抑え装置３５３の移動量や移動タイミングに係る制御用データとしては、上記（相対角度αの目標値が比較的大きい場合）と同様のデータを取得する。
【００８７】
さらに、相対角度αの目標値が非常に小さいもの（例えば、０°に近い値）である場合、制御装置３６は、抑え加熱装置３４の移動タイミングに係る制御用データとして、抑え加熱装置３４（発熱部３４１）によるヒンジ部５の抑え時間（加熱時間）が設定上最も長いものとなるようなデータを取得する。また、上下動折り曲げ装置３５１や左右動折り曲げ装置３５２の移動量や移動タイミングに係る制御用データとして、上下動折り曲げ装置３５１や左右動折り曲げ装置３５２が、一時停止することなく移動するようなデータを取得する。尚、外蓋部抑え装置３５３の移動量や移動タイミングに係る制御用データとしては、上記と同様のデータを取得する。
【００８８】
また、本実施形態では、少なくとも上下動折り曲げ装置３５１による外蓋部４の折り曲げ開始時には、抑え加熱装置３４（発熱部３４１）によってヒンジ部５が抑えられた状態となるように構成されている。
【００８９】
次いで、前記クローズ装置３１の動作についてより詳述に説明する。尚、動作に先立って、制御装置３６は、入力された相対角度αの目標値に基づく制御用データを予め得ているものとする。また、抑え加熱装置３４、上下動折り曲げ装置３５１及び外蓋部抑え装置３５３は、それぞれ退避位置に配置されており、左右動折り曲げ装置３５２は、後退位置に配置されているものとする。
【００９０】
まず、相対角度αの目標値として比較的大きな値（例えば、前記第一角度以上１８０°未満）が入力された場合の動作について説明する。
【００９１】
図７に示すように、コンベア２０によって移送されたブリスタパック１における蓋付容器２が支持台３２によって支持される（例えば、所定のセンサにより蓋付容器２の支持が検知される）と、抑え加熱装置３４が、下動開始し、前記接触位置まで移動して停止する。尚、抑え加熱装置３４の下動前又は下動中に、発熱部３４１の温度は蓋付容器２の材質や厚さなどに応じた適切なものとされる。
【００９２】
抑え加熱装置３４が接触位置まで移動すると、発熱部３４１とヒンジ部５における屈曲内側に対応する部分とが接触し、発熱部３４１によってヒンジ部５が抑えられつつ加熱された状態となる。
【００９３】
次いで、図８に示すように、上下動折り曲げ装置３５１が、前記制御用データに基づく移動タイミング（発熱部３４１によるヒンジ部５の抑え時間により変動する）にて上動開始するとともに、外蓋部４を下方から押圧する。これにより、発熱部３４１によりヒンジ部５が抑えられた状態で、加熱状態にあるヒンジ部５において外蓋部４が容器部３に対し徐々に折り曲げられていく。
【００９４】
そして、図９に示すように、上下動折り曲げ装置３５１は、相対角度αの目標値に対応する一時停止位置に到達すると、その位置において所定時間だけ一時停止する。また、抑え加熱装置３４は、制御用データに基づいたタイミングで、すなわち、ヒンジ部５に対し付与すべき熱量を付与した段階で、上下動折り曲げ装置３５１の一時停止中又は上動中に退避位置へと戻る。そして、上下動折り曲げ装置３５１の一時停止により、ヒンジ部５がある程度冷却されるまでの間、外蓋部４は、相対角度αの目標値に対応する曲げ角度に折り曲げられた状態で保持される。その結果、ヒンジ部５に対し相対角度αの目標値に対応する「折りぐせ」がつけられることとなる。尚、発熱部３４１によるヒンジ部５の抑え時間の変動により、ヒンジ部５へと与えられる熱量が変動するが、相対角度αの目標値が比較的大きい場合には、抑え時間が比較的短いものとされ、ひいては比較的小さな熱量がヒンジ部５へと与えられる。
【００９５】
一時停止時間が経過すると、上下動折り曲げ装置３５１は、上動を再開して最大リフト位置に到達する。
【００９６】
次いで、図１０に示すように、左右動折り曲げ装置３５２が、前記最大リフト位置に対する上下動折り曲げ装置３５１の到達に応じたタイミングで後退位置から移動開始し、前進位置まで移動する。これにより、図１１に示すように、容器部３の開口の直上方に外蓋部４が配置された状態となる。尚、上下動折り曲げ装置３５１は、左右動折り曲げ装置３５２の移動開始前、移動中又は移動後に退避位置へと戻る。
【００９７】
次に、図１２に示すように、外蓋部抑え装置３５３が、前記前進位置に対する左右動折り曲げ装置３５２の到達に応じたタイミングで退避位置から下動開始し、前記最大下動位置まで移動する。尚、左右動折り曲げ装置３５２は、外蓋部抑え装置３５３の下動中又は下動完了後に、後退位置へと戻る。
【００９８】
外蓋部抑え装置３５３が最大下動位置に配置されると、内嵌部３Ｃの外周に外嵌部４Ａが嵌め込まれ、容器部３に対し外蓋部４が固定される。これにより、外蓋部４によって容器部３の開口が閉鎖されたブリスタパック１（蓋付容器２）が得られる。尚、外蓋部抑え装置３５３は、外蓋部４によって容器部３の開口が閉鎖された後に、退避位置へと戻ることとなる。
【００９９】
次いで、相対角度αの目標値として比較的小さな値（例えば、前記第二角度以上前記第一角度未満）が入力された場合のクローズ装置３１の動作について説明する。
【０１００】
コンベア２０によって移送されたブリスタパック１における蓋付容器２が支持台３２によって支持されると、抑え加熱装置３４が、下動開始し、前記接触位置まで移動して停止する（図７参照）。尚、抑え加熱装置３４の下動前又は下動中に、発熱部３４１の温度は制御用データに基づく温度とされる。
【０１０１】
抑え加熱装置３４が接触位置まで移動すると、発熱部３４１とヒンジ部５における屈曲内側に対応する部分とが接触し、発熱部３４１によってヒンジ部５が抑えられつつ加熱された状態となる。尚、相対角度αの目標値が比較的小さい場合におけるヒンジ部５の抑え時間は、相対角度αの目標値が比較的大きい場合におけるヒンジ部５の抑え時間と比べて長いものとされ、ヒンジ部５に対し比較的大きな熱量が与えられることとなる。
【０１０２】
次に、図１３に示すように、上下動折り曲げ装置３５１が、前記制御用データに基づく移動タイミング（発熱部３４１によるヒンジ部５の加熱時間により変動する）にて上動開始し、一時停止することなく、外蓋部４を下方から押圧しつつ最大リフト位置まで移動する。これにより、発熱部３４１によりヒンジ部５が抑えられた状態で、加熱状態にあるヒンジ部５において外蓋部４が容器部３に対し折り曲げられる。尚、抑え加熱装置３４は、制御用データに基づいたタイミングで、すなわち、ヒンジ部５に対し付与すべき熱量を付与した段階で、上下動折り曲げ装置３５１の上動完了後又は上動中に退避位置へと戻る。
【０１０３】
次いで、左右動折り曲げ装置３５２が、前記最大リフト位置に対する上下動折り曲げ装置３５１の到達に応じたタイミングで後退位置から移動開始する（図１０参照）。そして、図１４に示すように、左右動折り曲げ装置３５２は、相対角度αの目標値に対応する一時停止位置に到達すると、その位置において一時停止する。これにより、ヒンジ部５がある程度冷却されるまでの間、外蓋部４は、相対角度αの目標値に対応する曲げ角度に折り曲げられた状態で保持される。その結果、ヒンジ部５において、相対角度αの目標値に対応する「折りぐせ」がつけられることとなる。
【０１０４】
そして、一時停止時間が経過すると、左右動折り曲げ装置３５２は移動を再開して前進位置まで移動する。これにより、容器部３の開口の直上方に外蓋部４が配置された状態となる（図１１参照）。
【０１０５】
以降においては、上述した、相対角度αの目標値として比較的大きな値が入力された場合と同様の動作が外蓋部抑え装置３５３や左右動折り曲げ装置３５２によって行われ、ひいては外蓋部４によって容器部３の開口が閉鎖されたブリスタパック１が得られることとなる。
【０１０６】
次いで、相対角度αの目標値として非常に小さな値（例えば、０°に近い値）が入力された場合のクローズ装置３１の動作について説明する。
【０１０７】
コンベア２０によって移送されたブリスタパック１における蓋付容器２が支持台３２によって支持されると、抑え加熱装置３４が、退避位置から接触位置へと移動し、発熱部３４１によってヒンジ部５を抑えつつ加熱した状態となる（図７参照）。尚、この場合におけるヒンジ部５の抑え時間は、設定上最も長いものとされる。
【０１０８】
次に、上下動折り曲げ装置３５１が、前記制御用データに基づく移動タイミング（発熱部３４１によるヒンジ部５の加熱時間により変動する）にて上動開始するとともに、一時停止することなく、外蓋部４を下方から押圧しつつ最大リフト位置まで移動する（図１３参照）。これにより、発熱部３４１によりヒンジ部５が抑えられた状態で、加熱状態にあるヒンジ部５において外蓋部４が容器部３に対し折り曲げられる。尚、抑え加熱装置３４は、制御用データに基づいたタイミングで、すなわち、ヒンジ部５に対し付与すべき熱量を付与した段階で、上下動折り曲げ装置３５１の上動完了後又は上動中に退避位置へと戻る。
【０１０９】
次いで、左右動折り曲げ装置３５２が、前記最大リフト位置に対する上下動折り曲げ装置３５１の到達に応じたタイミングで後退位置から移動開始し、一時停止することなく、前進位置まで移動する（図１０，１１参照）。これにより、容器部３の開口の直上方に外蓋部４が配置された状態となる。
【０１１０】
次に、外蓋部抑え装置３５３が、前記前進位置に対する左右動折り曲げ装置３５２の到達に応じたタイミングで退避位置から下動開始し、前記最大下動位置まで移動する。尚、左右動折り曲げ装置３５２は、外蓋部抑え装置３５３の下動中又は下動完了後に、後退位置へと戻る。
【０１１１】
以降においては、上述した、相対角度αの目標値として比較的大きな値が入力された場合と同様の動作が外蓋部抑え装置３５３や左右動折り曲げ装置３５２によって行われ、ひいては外蓋部４によって容器部３の開口が閉鎖されたブリスタパック１（蓋付容器２）が得られる。また、内嵌部３Ｃの外周に外嵌部４Ａが嵌め込まれることで、ヒンジ部５が冷却されるまでの間、外蓋部４は、相対角度αの目標値に対応する曲げ角度に折り曲げられた状態で維持される。その結果、ヒンジ部５において、相対角度αの目標値に対応する「折りぐせ」がつけられることとなる。
【０１１２】
以上詳述したように、本実施形態によれば、発熱部３４１によるヒンジ部５の加熱具合や、折り曲げ用往復装置３５による外蓋部４の折り曲げ角度を調節することで、相対角度αを１８０°未満の所定角度に設定した蓋付容器２を得ることができる。これにより、蓋付容器２の使用に際しての利便性を高めることができる。
【０１１３】
また、支持台３２によって蓋付容器２を支持した状態で外蓋部４の折り曲げを行うことができるため、外蓋部４の折り曲げをより安定した状態で行うことができる。これにより、相対角度αを精度よく所期の角度とすることができるとともに、折り曲げ後の各蓋付容器２において、相対角度αにバラツキが生じてしまうことをより確実に防止できる。
【０１１４】
さらに、抑え加熱装置３４（発熱部３４１）によりヒンジ部５を抑えながら外蓋部４の折り曲げを行うことができるため、より確実にヒンジ部５を回動中心として外蓋部４を折り曲げることができる。これにより、ヒンジ部５において、しっかりとした「折りぐせ」をより確実につけることができる。その結果、相対角度αを精度よく所期の角度とすることができる。また、折り曲げ後の各蓋付容器２において、相対角度αにバラツキが生じてしまうことを一層確実に防止できる。
【０１１５】
加えて、抑え加熱装置３４（発熱部３４１）によってヒンジ部５が上方から抑えられるため、上下動折り曲げ装置３５１によって蓋付容器２が持ち上げられてしまうといった事態を抑制しつつ、より確実にヒンジ部５を回動中心として外蓋部４を折り曲げることができる。
【０１１６】
併せて、上下動折り曲げ装置３５１及び左右動折り曲げ装置３５２はそれぞれ直線移動するものとされるため、両装置３５１，３５２の機構を簡素化することができ、製造コストの低減を図ることができる。さらに、上下動折り曲げ装置３５１及び左右動折り曲げ装置３５２の動作が単純化されるため、両装置３５１，３５２の動作安定性を高めることができ、ひいては生産性の向上を図ることができる。
【０１１７】
また、左右動折り曲げ装置３５２により外蓋部４を押圧して折り曲げる際に、支持台３２に設けられた容器部支持部３２１によって、蓋付容器２の前記押圧方向に沿った移動を規制することができる。従って、外蓋部４の折り曲げをより正確に行うことができる。
【０１１８】
加えて、上下動折り曲げ装置３５１及び左右動折り曲げ装置３５２は、一時停止することで、外蓋部４を容器部５に対して折り曲げた状態で保持することが可能とされている。従って、ヒンジ部５が冷却されるまでの間、相対角度αの目標値に対応する折り曲げ状態で外蓋部４を保持することができ、しっかりとした「折りぐせ」をより確実につけることができる。これにより、相対角度αを一層精度よく所期の角度とすることができる。また、折り曲げ後の各蓋付容器２において、相対角度αにバラツキが生じてしまうことをより一層確実に防止できる。
【０１１９】
さらに、本実施形態では、外蓋部抑え装置３５３によって内嵌部３Ｃの外周に外嵌部４Ａを嵌め込むことで、容器部３に対し外蓋部４を固定し、容器部３の開口を完全に閉鎖した状態とすることができる。従って、容器部３の開口が閉鎖されたブリスタパック１を容易に得ることができる。
【０１２０】
また、相対角度αを非常に小さなものとしたい場合（例えば、相対角度αを０°に近い値としたい場合）には、ヒンジ部５が冷却されるまでの間、内嵌部３Ｃ及び外嵌部４Ａにより容器部３の開口を完全に閉鎖した状態で保持することにより、相対角度αを非常に小さなものとすることができる。従って、ヒンジ部５が冷却されるまでの間、外蓋部抑え装置３５３によって外蓋部４を保持しておく必要はない。これにより、生産性の向上を一層図ることができる。
【０１２１】
さらに、本実施形態において、蓋付容器２は、打抜によって得られる。従って、ブリスタパック１（特に蓋付容器２）の外縁形状に関する設計自由度を高めることができる。また、ブリスタパック１を得るにあたって、打抜のみによってブリスタパック１の外縁形状を所望形状とすることができるため、角を丸くするための処理などを別途行う必要がなくなり、生産性をさらに高めることができる。
【０１２２】
尚、上記実施形態の記載内容に限定されず、例えば次のように実施してもよい。勿論、以下において例示しない他の応用例、変更例も当然可能である。
【０１２３】
（ａ）図１５に示すように、上下動折り曲げ装置３５１によって容器部５に対し外蓋部４を折り曲げた状態で保持しているときに、上下動折り曲げ装置３５１との間で外蓋部４を挟む位置において外蓋部４を受ける受け手段としてのサポート板部３６１を設けることとしてもよい。
【０１２４】
また、図１６に示すように、左右動折り曲げ装置３５２によって容器部５に対し外蓋部４を折り曲げた状態で保持しているときに、左右動折り曲げ装置３５２との間で外蓋部４を挟む位置において外蓋部４を受ける受け手段としてのサポート板部３６２を設けることとしてもよい。尚、サポート板部３６１，３６２は、外蓋部４の折り曲げを阻害しない位置へと退避可能に構成される。
【０１２５】
サポート板部３６１，３６２を設けた場合には、外蓋部４が過度に折り曲がった状態で保持されてしまうことをより確実に防止できる。従って、相対角度αをより精度よく所期の角度とすることができる。また、折り曲げ後の各蓋付容器２における相対角度αをより確実に揃えることができる。
【０１２６】
尚、図１５に示すように、サポート板部３６１と抑え加熱装置３４とを一体化する（つまり、受け手段をヒンジ部抑え手段と一体化する）ことで、機構の更なる簡素化を図ることができ、製造コストをより一層低減させることができる。
【０１２７】
（ｂ）上記実施形態において、発熱部３４１の下端部（ヒンジ部５と接触する部位）は、丸みを帯びた形状とされているが、発熱部の形状は適宜変更可能である。例えば、図１７に示すように、発熱部３４２の下端部に、ヒンジ部５側に向けて突出する尖端状の突条部３４２Ａを設けることとしてもよい。この場合には、ヒンジ部５のうち特に突条部３４２Ａと接触する部位を凹ませたり、屈曲させたりすることができるため、ヒンジ部５においてしっかりとした「折りぐせ」を一層確実につけることができる。
【０１２８】
（ｃ）上記実施形態では、発熱部３４１によってヒンジ部５のみが加熱されるように構成されているが、図１８（図１８では、内蓋フィルム６を実際よりも極端に厚くしている）に示すように、発熱部３４３によって、ヒンジ部５のみならず、容器部３における内蓋フィルム６の取着部位（被シール部３Ｂ）を加熱することとしてもよい。この場合には、容器部３に対し内蓋フィルム６をより強固に取着（融着）することができる。
【０１２９】
また、発熱部３４３によって、ヒンジ部５とともに、容器部３及び内蓋フィルム６を加熱することで、容器部３に対し内蓋フィルム６を取着（融着）するように構成してもよい。すなわち、発熱部３４３がシール装置１７としての機能を備えることとしてもよい。この場合には、シール装置１７を別途設けなくても済むため、ブリスタ包装機１０における機構の簡素化を図ることができ、ひいては製造コストの低減を一層図ることができる。
【０１３０】
尚、発熱部によって、被シール部３Ｂの一部のみを加熱してもよいし、被シール部３Ｂの全周を加熱してもよい。
【０１３１】
（ｄ）上下動折り曲げ手段の移動客体及び左右動折り曲げ手段の移動客体として、共通の客体を用いることとしてもよい。例えば、図１９及び図２０に示すように、上下方向及び水平方向に移動可能な上下左右動折り曲げ装置３７（上下動折り曲げ手段及び左右動折り曲げ手段に相当する）を設け、当該上下左右動折り曲げ装置３７によって外蓋部４の折り曲げを行うこととしてもよい。この場合には、更なる機構の簡素化を図ることができ、製造コストの低減を一層図ることができる。
【０１３２】
（ｅ）上記実施形態におけるブリスタパック１の形状や構造は例示であって、ブリスタパック１の形状や構造については適宜変更してもよい。従って、例えば、図２１に示すように、外蓋部４における外縁部分の一部を突出形状とすることで、外蓋部４を回動させる（容器部３の開口を開閉させる）際に利用可能な持ち手部４Ｂを形成することとしてもよい。尚、このように蓋付容器２における外縁形状を比較的複雑な形状とする場合であっても、打抜のみによって蓋付容器２の外縁形状を所望形状とすることができるため、良好な生産性を得ることができる。
【０１３３】
（ｆ）上記実施形態では、容器部３のみに対し物品Ｗが収容されているが、図２２に示すように、容器部１０３及び外蓋部１０４の双方に対し物品Ｗを収容してもよい。尚、この場合、容器部１０３に収容される物品Ｗと外蓋部１０４に収容される物品Ｗとを異なるものとしてもよい。また、この場合には、容器部１０３及び外蓋部１０４のそれぞれに対しその開口を塞ぐようにして内蓋フィルム６を取着することとしてもよい。
【０１３４】
（ｇ）発熱部３４１によるヒンジ部５の加熱中に、発熱部３４１との間でヒンジ部５を挟む位置において、ヒンジ部５の屈曲外側に対応する部分を冷却する冷却手段を設けることとしてもよい。この場合には、外蓋部４により容器部３の開口を閉鎖した状態（つまり、販売や展示時などの状態）において特に視認しやすいヒンジ部５の屈曲外側部分に、熱による変形などが生じてしまうことをより確実に防止できる。その結果、得られたブリスタパック１（蓋付容器２）における外観品質をより高めることができる。
【０１３５】
（ｈ）上記実施形態において、加熱折り曲げ装置３３は、上下動折り曲げ装置３５１及び左右動折り曲げ装置３５２がそれぞれ一時停止可能とされることで、外蓋部４を容器部５に対して折り曲げた状態で保持可能に構成されているが、外蓋部４を折り曲げた状態で保持する機能を備えていなくてもよい。この場合には、例えば、上下動折り曲げ装置３５１及び左右動折り曲げ装置３５２によって外蓋部４が常に一定のタイミングで折り曲げられるように構成し、発熱部３４１からヒンジ部５に与えられる熱量の変動に伴い、相対角度αが調節されるように構成してもよい。
【０１３６】
（ｉ）上記実施形態では、抑え加熱装置３４（発熱部３４１）によるヒンジ部５の抑え時間（加熱時間）を変化させることで、ヒンジ部５へと与えられる熱量が変化するように構成されているが、発熱部３４１の温度を変化させることで、ヒンジ部５へと与えられる熱量を変化させることとしてもよい。勿論、ヒンジ部５の抑え時間（加熱時間）と発熱部３４１の温度との双方を調節することで、ヒンジ部５へと与えられる熱量を変化させることとしてもよい。
【０１３７】
（ｊ）上記実施形態では、発熱部３４１によってヒンジ部抑え手段が構成されており、発熱部及びヒンジ部抑え手段が一体化された構成となっているが、発熱部とヒンジ部抑え手段とを別々に設けることとしてもよい。
【０１３８】
（ｋ）上記実施形態において、ブリスタパック１は内蓋フィルム６を備えているが、内蓋フィルム６を備えないこととしてもよい。尚、この場合には、ブリスタ包装機１０において、シール装置１７を省略可能である。
【０１３９】
（ｌ）上記実施形態において、ブリスタ包装機１０は、折り曲げ前の蓋付容器２を得るために、加熱軟化装置１２や形成装置１３、打抜装置１８を備えているが、これら装置を省略し、予め得られた折り曲げ前の蓋付容器２を収容装置１４やシール装置１７、クローズ装置３１へと供給するように構成してもよい。
【０１４０】
（ｍ）上記実施形態では、収容装置１４により容器部３へと物品Ｗが収容されるように構成されているが、収容装置１４を省略し、人手によって容器部３へと物品Ｗを収容するように構成してもよい。
【０１４１】
（ｎ）上記実施形態で挙げた蓋付容器２（容器フィルム７）や内蓋フィルム６の材料や態様は例示であって、これらの材料などを適宜変更してもよい。
【符号の説明】
【０１４２】
１…ブリスタパック、２…蓋付容器、２Ｆ…蓋付容器対応部、３…容器部、３Ｃ…内嵌部（ロック部）、４…外蓋部、４Ａ…外嵌部（ロック部）、５…ヒンジ部、６…内蓋フィルム、７…容器フィルム、１０…ブリスタ包装機、１２…加熱軟化装置（成形手段）、１３…形成装置（成形手段）、１４…収容装置（収容手段）、１７…シール装置（シール手段）、１８…打抜装置（打抜手段）、３１…クローズ装置（蓋付容器製造装置）、３２…支持台（支持手段）、３３…加熱折り曲げ装置（角度調節手段）、３４…抑え加熱装置（加熱手段、ヒンジ部抑え手段、折り曲げ手段）、３５…折り曲げ用移動装置（折り曲げ手段）、３２１…容器部支持部（移動規制手段）、３４１…発熱部、３５１…上下動折り曲げ装置（上下動折り曲げ手段）、３５２…左右動折り曲げ装置（左右動折り曲げ手段）、３５３…外蓋部抑え装置（閉鎖手段）、３６１，３６２…サポート板部（受け手段）、Ｗ…物品。
【図１】
2018008432.tif 000003
【図２】
2018008432.tif 000004
【図３】
2018008432.tif 000005
【図４】
2018008432.tif 000006
【図５】
2018008432.tif 000007
【図６】
2018008432.tif 000008
【図７】
2018008432.tif 000009
【図８】
2018008432.tif 000010
【図９】
2018008432.tif 000011
【図１０】
2018008432.tif 000012
【図１１】
2018008432.tif 000013
【図１２】
2018008432.tif 000014
【図１３】
2018008432.tif 000015
【図１４】
2018008432.tif 000016
【図１５】
2018008432.tif 000017
【図１６】
2018008432.tif 000018
【図１７】
2018008432.tif 000019
【図１８】
2018008432.tif 000020
【図１９】
2018008432.tif 000021
【図２０】
2018008432.tif 000022
【図２１】
2018008432.tif 000023
【図２２】
2018008432.tif 000024
【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
物品を収容するための容器部、当該容器部の開口を開閉可能な外蓋部、並びに、前記容器部及び前記外蓋部を連結するヒンジ部を有し、前記容器部、前記外蓋部及び前記ヒンジ部が一体形成された樹脂製の蓋付容器を製造するための蓋付容器製造装置であって、
前記容器部に対する前記外蓋部の相対角度を１８０°未満の所定角度に調節可能な角度調節手段を備え、
前記角度調節手段は、
発熱可能な発熱部を具備し、当該発熱部により前記ヒンジ部を加熱可能な加熱手段と、
加熱状態にある前記ヒンジ部において前記容器部に対し前記外蓋部を折り曲げ可能な折り曲げ手段とを有し、
前記加熱手段は、前記ヒンジ部の内側を加熱可能であることを特徴とする蓋付容器製造装置。
【請求項２】
前記容器部の開口が上方を向いた状態で、前記容器部に対し前記外蓋部が折り曲げられていない状態の前記蓋付容器を支持する支持手段を有し、
前記折り曲げ手段は、前記支持手段によって前記蓋付容器を支持した状態で、前記容器部に対し前記外蓋部を折り曲げるように構成されていることを特徴とする請求項１に記載の蓋付容器製造装置。
【請求項３】
前記折り曲げ手段は、前記容器部に対する前記外蓋部の折り曲げ時に、前記支持手段により支持された前記蓋付容器における前記ヒンジ部を上方から抑えるヒンジ部抑え手段を有することを特徴とする請求項２に記載の蓋付容器製造装置。
【請求項４】
前記折り曲げ手段は、上下方向に直線移動可能であり、前記支持手段により支持された前記蓋付容器における前記ヒンジ部を前記ヒンジ部抑え手段によって上方から抑えた状態で、当該蓋付容器における前記外蓋部を下方から押圧し、当該外蓋部を折り曲げる上下動折り曲げ手段を有することを特徴とする請求項３に記載の蓋付容器製造装置。
【請求項５】
前記折り曲げ手段は、前記上下動折り曲げ手段の移動方向と交差する方向に直線移動可能であり、前記上下動折り曲げ手段により折り曲げられた状態の前記外蓋部を押圧することで、当該外蓋部を前記容器部の開口側に向けて折り曲げる左右動折り曲げ手段を有し、
前記支持手段は、前記左右動折り曲げ手段による前記外蓋部の押圧方向に沿った前記蓋付容器の移動を規制する移動規制手段を有することを特徴とする請求項４に記載の蓋付容器製造装置。
【請求項６】
前記折り曲げ手段は、前記外蓋部を前記容器部に対して折り曲げた状態で保持可能に構成されていることを特徴とする請求項１乃至５のいずれか１項に記載の蓋付容器製造装置。
【請求項７】
前記折り曲げ手段によって前記外蓋部を前記容器部に対して折り曲げた状態で保持しているときに、当該折り曲げ手段との間で当該外蓋部を挟む位置において当該外蓋部を受ける受け手段を有することを特徴とする請求項６に記載の蓋付容器製造装置。
【請求項８】
物品を収容するための容器部、当該容器部の開口を開閉可能な外蓋部、並びに、前記容器部及び前記外蓋部を連結するヒンジ部を有し、前記容器部、前記外蓋部及び前記ヒンジ部が一体形成された樹脂製の蓋付容器を備えてなるブリスタパックを製造するためのブリスタ包装機であって、
搬送される帯状の容器フィルムに対し成形処理を行い、前記蓋付容器に対応する蓋付容器対応部を形成する成形手段と、
前記成形手段の下流において、前記蓋付容器対応部における前記容器部に対応する部位に対し前記物品を収容する収容手段と、
前記収容手段の下流において、前記容器フィルムにおける前記蓋付容器対応部を打抜くことで、前記ヒンジ部において前記容器部に対し前記外蓋部が折り曲げられていない状態の前記蓋付容器を得る打抜手段と、
前記打抜手段の打抜きにより得られた前記蓋付容器が供給される、請求項１乃至７のいずれか１項に記載の蓋付容器製造装置とを備えることを特徴とするブリスタ包装機。
【請求項９】
前記ブリスタパックにおける前記容器部には、その開口を塞ぐようにして樹脂製の内蓋フィルムが取着されており、
前記蓋付容器製造装置の前記加熱手段は、前記発熱部によって、前記ヒンジ部のみならず、前記容器部における前記内蓋フィルムの取着部位の少なくとも一部を加熱可能に構成されていることを特徴とする請求項８に記載のブリスタ包装機。
【請求項１０】
前記蓋付容器は、前記外蓋部により前記容器部の開口を閉鎖した状態で、前記容器部に対し前記外蓋部を固定可能なロック部を有し、
前記折り曲げ手段は、前記外蓋部を上方から押圧し、前記ロック部によって前記容器部に対し前記外蓋部が固定された状態とする閉鎖手段を有することを特徴とする請求項８又は９に記載のブリスタ包装機。
【手続補正２】
【補正対象書類名】明細書
【補正対象項目名】０００９
【補正方法】変更
【補正の内容】
【０００９】
手段１．物品を収容するための容器部、当該容器部の開口を開閉可能な外蓋部、並びに、前記容器部及び前記外蓋部を連結するヒンジ部を有し、前記容器部、前記外蓋部及び前記ヒンジ部が一体形成された樹脂製の蓋付容器を製造するための蓋付容器製造装置であって、
前記容器部に対する前記外蓋部の相対角度を１８０°未満の所定角度に調節可能な角度調節手段を備え、
前記角度調節手段は、
発熱可能な発熱部を具備し、当該発熱部により前記ヒンジ部を加熱可能な加熱手段と、
加熱状態にある前記ヒンジ部において前記容器部に対し前記外蓋部を折り曲げ可能な折り曲げ手段とを有し、
前記加熱手段は、前記ヒンジ部の内側を加熱可能であることを特徴とする蓋付容器製造装置。